(57)【要約】【課題】遊技盤に設ける複数の表示装置を限られた盤面スペース内に無駄なく配置し、遊技球の流下する領域を十分に確保することができる遊技機。【解決手段】遊技盤１０の盤面１２の右側領域で、且つ、主表示装置としての特別図柄表示装置２４の右下側に補助表示装置としての演出表示装置５２を配置する。【選択図】　　　　図１
2004081422.tif 000002
【特許請求の範囲】
【請求項１】
遊技盤面の略中央に配置され遊技に関する主要な情報を表示する主表示装置と、
前記遊技盤面における前記主表示装置の右下側に配置され遊技に関する補助的な情報を表示する補助表示装置と、
を有することを特徴とする遊技機。
【請求項２】
前記主表示装置と前記補助表示装置とは、それぞれの表示面が前記遊技盤面の奥行き方向において非同一面に配置されていることを特徴とする請求項１記載の遊技機。
【請求項３】
前記補助表示装置は装置本体に設けられた装飾部材の一部が前記主表示装置に重ね合わせられており、その装飾部材を介して主表示装置と一つのまとまりのあるデザインとされていることを特徴とする請求項１又は請求項２記載の遊技機。
【請求項４】
遊技盤面に設けられ遊技に関する主要な情報を表示する主表示装置と、
前記主表示装置に近接配置され遊技に関する補助的な情報を表示する補助表示装置と、
を有し、前記補助表示装置は装置本体に設けられた装飾部材の一部が前記主表示装置に重ね合わせられており、その装飾部材を介して主表示装置と一つのまとまりのあるデザインとされていることを特徴とする遊技機。
【請求項５】
前記一つのまとまりのあるデザインは、前記主表示装置に設けられた意味を持つ第１絵柄と、前記装飾部材に設けられ前記第１絵柄とは異なる意味を持つ第２絵柄と、により前記第１絵柄又は前記第２絵柄とは異なる意味合いを想起させるデザインであることを特徴とする請求項３又は請求項４記載の遊技機。
【発明の詳細な説明】
【０００１】
【発明の属する技術分野】
本発明は、遊技に関する各種情報等を表示する複数の表示装置を備えたパチンコ機等の遊技機に関する。
【０００２】
【従来の技術】
複数の表示装置を備えたパチンコ機やパチスロ機等の遊技機では、例えば、２つ又は３つの液晶表示装置を横方向に並べて配置したり、液晶表示装置の両側又は片側にドラム式の回転表示装置を配置するなどの構成が採られている。また、近年のパチンコ機では、演出効果を高めるなどの理由から、遊技盤面に設ける特別図柄表示装置等の液晶表示装置やその装置本体に設ける装飾部材等を拡大化する傾向にある。
【０００３】
【発明が解決しようとする課題】
しかしながら、パチンコ機の場合、複数の表示装置を遊技盤面の限られたスペース内に並べて配置すると、表示装置の拡大サイズが制限されるとともに、盤面内に無駄なスペースが生まれたり、遊技球の流下する領域が必要以上に縮小される問題がある。
【０００４】
本発明は上記事実を考慮して、遊技盤に設ける複数の表示装置を限られた盤面スペース内に無駄なく配置し、遊技球の流下する領域を十分に確保することができる遊技機を提供することを課題とする。
【０００５】
【課題を解決するための手段】
上記目的を達成するために請求項１に記載の発明は、遊技盤面の略中央に配置され遊技に関する主要な情報を表示する主表示装置と、前記遊技盤面における前記主表示装置の右下側に配置され遊技に関する補助的な情報を表示する補助表示装置と、を有することを特徴としている。
【０００６】
請求項１に記載の発明では、遊技盤面の略中央に配置される主表示装置に対して、補助表示装置を遊技盤面における主表示装置の右下側に配置する。通常、遊技盤面の右側に役物等が配置される所謂「第３種遊技機」以外の遊技仕様では、遊技盤面の右側は、遊技釘が打たれ遊技球が流下可能であっても遊技には用いられていない。この遊技盤面の右側領域で、且つ、主表示装置の右下側に補助表示装置を配置することにより、補助表示装置を主表示装置の横に隣接配置する場合に比べ、各表示装置を横方向、あるいは縦方向へより大きく構成することができる。また、複数の表示装置を限られた盤面スペース内に無駄なく配置することができるとともに、遊技球の流下する領域も十分に確保することができる。
【０００７】
請求項２に記載の発明は、請求項１記載の遊技機において、前記主表示装置と前記補助表示装置とは、それぞれの表示面が前記遊技盤面の奥行き方向において非同一面に配置されていることを特徴としている。
【０００８】
請求項２に記載の発明では、主表示装置の表示面と、補助表示装置の表示面とを、遊技盤面の奥行き方向において非同一面に配置することにより、遊技者は、眼球の焦点を無意識に合わせ直して、各表示装置の表示面を視認することになる。これにより、略同焦点で被視認箇所を長時間視認することによる遊技者の眼球疲労が軽減される。
【０００９】
請求項３に記載の発明は、請求項１又は請求項２記載の遊技機において、前記補助表示装置は装置本体に設けられた装飾部材の一部が前記主表示装置に重ね合わせられており、その装飾部材を介して主表示装置と一つのまとまりのあるデザインとされていることを特徴としている。
【００１０】
請求項３に記載の発明では、補助表示装置の装置本体に設けられた装飾部材の一部を主表示装置に重ね合わせ、その装飾部材を介して補助表示装置を主表示装置と一つのまとまりのあるデザインとする。なお、この重ね合わせとは、装飾部材の一部が主表示装置に接触して重ね合わせられている状態、及び、接触してはいないが、遊技盤面を遊技者側から正面視すると装飾部材の一部が主表示装置に視覚的に重ね合わせられて見える状態のことを言う。また、一つのまとまりのあるデザインとは、例えば、主表示装置又は補助表示装置に設けた装飾部材の一方に、「特定キャラクターの上半身」を、他方にその「下半身」を振り分けてデザインしたり、同じく一方に「車両のボディ」を、他方にその「タイヤ」を振り分けてデザインするなどのように、単体として成立する物体の各部を、主表示装置と補助表示装置の装飾部材とに分割してデザインし、それらを組み合わせることで意味のある絵柄を得ること、あるいは、主表示装置又は補助表示装置に設けた装飾部材の一方に、「レーサーの姿をした特定キャラクター」を、他方にその特定キャラクターが搭乗する「レースカー」をそれぞれデザインするなどのように、各々は単体として成立するとともに関連する意味を持つ各物体を、主表示装置と補助表示装置の装飾部材とにそれぞれデザインし、それらを組み合わせることで意味のある絵柄を得ることなどを言う。
【００１１】
これにより、各表示装置が複合され、あたかも一つの表示装置を形成しているかのようになり、より大きな表示装置が構成されて遊技者に与える演出効果が高められる。
【００１２】
請求項４に記載の発明は、遊技盤面に設けられ遊技に関する主要な情報を表示する主表示装置と、前記主表示装置に近接配置され遊技に関する補助的な情報を表示する補助表示装置と、を有し、前記補助表示装置は装置本体に設けられた装飾部材の一部が前記主表示装置に重ね合わせられており、その装飾部材を介して主表示装置と一つのまとまりのあるデザインとされていることを特徴としている。
【００１３】
請求項４に記載の発明では、補助表示装置を、遊技盤面に設けられた主表示装置に近接配置して、補助表示装置の装置本体に設けた装飾部材の一部を主表示装置に重ね合わせ、その装飾部材を介して補助表示装置を主表示装置と一つのまとまりのあるデザインとする。これにより、各表示装置が複合され、あたかも一つの表示装置を形成しているかのようになり、より大きな表示装置が構成されて遊技者に与える演出効果が高められる。
【００１４】
また、請求項３又は請求項４に記載の発明における一つのまとまりのあるデザインについては、請求項５に記載の発明のように、前記主表示装置に設けられた意味を持つ第１絵柄と、前記装飾部材に設けられ前記第１絵柄とは異なる意味を持つ第２絵柄と、により前記第１絵柄又は前記第２絵柄とは異なる意味合いを想起させるデザインとしてもよい。
【００１５】
例えば、「猫に小判」のことわざを引用して、ある意味を持つ第１絵柄を「猫」、第１絵柄とは異なる意味を持つ第２絵柄を「小判」とすれば、「貴重なものでもその価値がわからない者に与えては何の役にも立たない」との意味合いが想起されてアンラッキーなイメージが連想され、また、「ひょうたんからコマが出る」のことわざを引用して、第１絵柄を「ひょうたん」、第２絵柄を「コマ」とすれば、「意外な所から意外の物が出る」との意味合いが想起されてラッキーなイメージなどが連想される。このように、ことわざなどを引用することで、表示装置のデザインをよりユニークなものとすることができる。
【００１６】
【発明の実施の形態】
以下、図面を参照して、本発明の実施の形態について詳細に説明する。
【００１７】
図１及び図２には、本発明の一実施の形態に係る遊技盤が示されている。遊技盤１０は、基板となるベニヤ板に、装飾画（図示省略）を印刷した樹脂製シート状のセルが貼着されている。このセルの遊技者に面する表面が図１に示される盤面１２となっている。
【００１８】
盤面１２の外周端部付近には、リブ状の外バンド１４と内バンド１６、レール飾り１８が取り付けられて遊技者側へ向けて壁状に突出しており、これらの外バンド１４及び内バンド１６とレール飾り１８とによって囲まれた凹部領域が、略円形状の遊技領域２０とされている。
【００１９】
遊技領域２０のほぼ中央には、普通図柄表示装置（普通図柄表示部）２２を組み込んだセンター役物としての特別図柄表示装置２４が配置されている。特別図柄表示装置２４は、樹脂材料製の装飾部材２６等を含んで構成される装置本体（全体形状は図示省略）に、液晶ディスプレイ２８が装着されている。この装飾部材２６は、図２（Ａ）に示されるように、遊技領域２０の右上部領域に配置された板状部が遊技盤１０の盤面１２に密着されて盤面１２を覆っており、その遊技領域２０の右上部領域に発射された遊技球を流下できるよう構成されている。また、装飾部材２６には、遊技領域２０の略中央部に位置して、図２（Ｂ）に示されるように、軸心が水平に配置される角状筒部３０が一体的に設けられており、角状筒部３０は遊技盤１０の盤面１２に形成された貫通孔３２に挿通されている。液晶ディスプレイ２８は、この角状筒部３０の後側の開口部をディスプレイ画面３４で塞ぐように配置されており、したがって、ディスプレイ画面３４は、遊技盤１０の盤面１２よりも奥行き方向で後方に位置している。また、角状筒部３０の下面部は、角状筒部３０内へ誘導されて受け止めた遊技球を流下方向へ案内するステージ３１とされており、ステージ３１上での遊技球の動きは遊技者から視認できるようになっている。
【００２０】
この特別図柄表示装置２４の下方には、図１に示されるように、入賞により特別図柄表示装置２４にアニメーション等で図柄抽選の表示を開始させる始動口３６が配置され、始動口３６の下方には、大当たり時に開閉扉３８の開放により開口する大入賞口４０を備えた特別電動役物４２が配設されている。さらに、特別図柄表示装置２４の左側には、入賞口４４及び風車４６が配置されており、遊技領域２０の左下端部にはサイド飾り４８が取り付けられ、遊技領域２０の最下位置にアウト口５０が設けられている。また、遊技領域２０内における盤面１２露出部の適宜位置には、多数の遊技釘（図示省略）が打ち込まれている。
【００２１】
また、本実施の形態では、特別図柄表示装置２２の右下側に、遊技の演出に関する表示をさせるための演出表示装置５２が配置されている。演出表示装置５２は、遊技盤１０の盤面１２に取り付けられた取付板５３及びその取付板５３に固着された樹脂材料製の装飾部材５４等を含んで構成される装置本体（全体形状は図示省略）に、液晶ディスプレイ５６が装着されている。装飾部材５４は、盤面１２から所定寸法浮き上がった状態で遊技領域２０の右下部領域を覆うとともに、図２（Ａ）に示されるように、上部側が装飾部材２６の前方（図１の手前側）に位置して、装飾部材２６に重ね合わせられている。なお、図２（Ａ）の寸法ＯＷは、装飾部材２６と装飾部材５４とのオーバーラップ量を示している。
【００２２】
また、装飾部材２６と装飾部材５４とには、遊技の演出として演出表示装置５２に表示される表示内容等と対応したデザインが施されている。例えば、本実施の形態では、装飾部材２６には人気アニメの特定キャラクター等がデザインされており（図示省略）、装飾部材５４には、その特定キャラクターにより爆破される爆弾とその爆弾が爆発する様子等がデザインされており、これによって、一つのまとまりのあるデザインとされている。なお、この一つのまとまりのあるデザインについては、本実施形態のように、各々は単体として成立するとともに関連する意味を持つ各物体を、各表示装置の装飾部材にそれぞれデザインし、それらを組み合わせることで意味のある絵柄を得る他にも、ことわざなどを引用して、例えば、特別図柄表示装置２４の装飾部材２６には「豚」の絵柄を設け、演出表示装置５２の装飾部材５４には「真珠」の絵柄を設けて、「豚」又は「真珠」とは異なる意味合いを想起させるデザインなどとしてもよい。
【００２３】
また、装飾部材５４には、装飾部材５４の略中央部に位置して、図２（Ｂ）に示されるように、軸心が水平に配置される円状筒部５８が一体的に設けられており、この円状筒部５８は、遊技盤１０の盤面１２に、貫通孔３２とは別位置に形成された貫通孔６０と対応して配置されている。演出表示装置５２の液晶ディスプレイ５６は、この貫通孔６０と円状筒部５８との内部に収容されるとともに、ディスプレイ画面６２が遊技盤１０の盤面１２よりも奥行き方向で少し前方に位置して配置されている。したがって、特別図柄表示装置２４のディスプレイ画面３４と、演出表示装置５２のディスプレイ画面６２とは、遊技盤１０の盤面１２奥行き方向において非同一面に配置され、図２（Ａ）に示す寸法Ａだけずれている。
【００２４】
次に、本実施形態の作用・効果について説明する。
【００２５】
本実施の形態に係る遊技盤１０を備えたパチンコ機では、発射された遊技球６４が遊技盤１０の遊技領域２０に打ち込まれると、盤面１２が露出された遊技領域２０の左側領域や、盤面１２が特別図柄表示装置２４の装飾部材２６に覆われた遊技領域２０の右側領域を流下して遊技が行われる。そして遊技球６４が始動口３６に入賞すると、特別図柄表示装置２４には図柄抽選がアニメーション等で表示され、抽選の結果が当たりとなる可能性があることを示す、所謂「リーチ」状態等になると、演出表示装置５２にリーチアクションを盛り上げるアニメーション等が表示されて演出効果が高められる。
【００２６】
このように、盤面１２の右側領域で、且つ、主表示装置としての特別図柄表示装置２４の右下側に補助表示装置としての演出表示装置５２を配置したことにより、演出表示装置５２を特別図柄表示装置２４の横に隣接配置する場合に比べ、各表示装置をより大きく構成することができる。また、複数の表示装置を限られた盤面スペースに無駄なく配置することができるとともに、遊技球の流下する領域も十分に確保することがきる。
【００２７】
また、図２（Ｂ）に示されるように、遊技者が特別図柄表示装置２４のディスプレイ画面３４を視線ＥＬ１又は演出表示装置５２のディスプレイ画面６２を視線ＥＬ２で視認すると、各ディスプレイ画面は盤面１２の奥行き方向において非同一面に配置されていることにより、遊技者は、眼球Ｅの焦点を無意識に合わせ直して、各表示装置のディスプレイ画面を視認することになる。これにより、被視認箇所となる盤面１２上に配置された各部品や各表示部等を長時間視認することによる遊技者の眼球疲労が軽減される。
【００２８】
また、本実施の形態では、演出表示装置５２の装置本体に設けられた装飾部材５４の一部（上部）を特別図柄表示装置２４の装置本体に設けられた装飾部材２６に重ね合わせ、その装飾部材５４を介して演出表示装置５２を特別図柄表示装置２４と一つのまとまりのあるデザインとしたことにより、特別図柄表示装置２４と演出表示装置５２とが複合され、あたかも一つの大型表示装置を構成しているかのようになる。これにより、遊技者に与える演出効果をより高いものとすることができる。
【００２９】
以上、本発明を上述した特定の実施形態により詳細に説明したが、本発明はそれに限定されるものではなく、本発明の範囲内にて他の種々の実施形態が可能である。
【００３０】
例えば、上述した実施の形態では、主表示装置となる特別図柄表示装置２４の右下側に、補助表示装置としての演出表示装置５２を一つだけ設けた構成で説明したが、この補助表示装置は複数設けることもできる。また、各表示装置については、液晶ディスプレイによるものに限らず、ドット表示装置、あるいはドラムや球体等を用いた回転表示装置等の他の表示装置とすることもできる。
【００３１】
【発明の効果】
本発明の遊技機は上記構成としたので、遊技盤に設ける複数の表示装置を限られた盤面スペース内に無駄なく配置し、遊技球の流下する領域を十分に確保することができる。
【図面の簡単な説明】
【図１】本発明の一実施形態に係る遊技盤を示した正面図である。
【図２】（Ａ）が図１の２Ａ−２Ａ線断面図であり、（Ｂ）が図１の２Ｂ−２Ｂ線断面図である。
【符号の説明】
１０　　　　遊技盤
１２　　　　盤面（遊技盤面）
２４　　　　特別図柄表示装置（主表示装置）
２６　　　　装飾部材（主表示装置の一部）
３４　　　　ディスプレイ画面（表示面）
５２　　　　演出表示装置（補助表示装置）
５４　　　　装飾部材
６２　　　　ディスプレイ画面（表示面）
【図１】
2004081422.tif 000003
【図２】
2004081422.tif 000004